(57)【要約】【課題】  従来の屋内配線用ユニットケーブルにおける、結線部又は接続部の確認作業が容易に出来ない故に不具合発生時の原因確認及び対処が遅れてしまう問題を解決する他、電線相互の短絡事故或いは断線事故等を誘起する可能性を極力減ずることができるよう工夫した屋内配線用ユニットケーブル用の回路モジュールを提供すること。【解決手段】  複数のケーブルの導体を接続して回路を構成した結線部と、前記結線部を収納し、取り付け固定を行う為のケースとから成る屋内配線用ユニットケーブル用の回路モジュールであって、前記ケースには配線器具に至る電気配線を接続する為の接続部が設けられている屋内配線用ユニットケーブル用の回路モジュールを提供する。【選択図】図１
2016073167.tif 000002
【特許請求の範囲】
【請求項１】
複数のケーブルの導体を接続して回路を構成した結線部と、
前記結線部を収納し、取り付け固定を行う為のケースとから成る屋内配線用ユニットケーブル用の回路モジュールであって、
前記ケースには配線器具に至る電気配線を接続する為の接続部が設けられている屋内配線用ユニットケーブル用の回路モジュール。
【請求項２】
前記接続部の配線接続する部分は露出しており、当該接続部の周りには被覆する為のカバーが設けられている、請求項１に記載の屋内配線用ユニットケーブル用の回路モジュール。
【請求項３】
前記カバーには分岐先（接続先）を示す表示部分が設けられている、請求項１又は２に記載の屋内配線用ユニットケーブル用の回路モジュール。
【発明の詳細な説明】
【技術分野】
【０００１】
本発明は分岐過電流遮断機より配線器具に至る分岐回路からなる屋内配線用ユニットケーブル用の回路モジュールに関し、特に配線の誤接続等が発生した際にも容易に接続及び導通状態が確認でき、電線相互の短絡事故或いは断線事故等を誘起する可能性を極力減ずることができるよう工夫した屋内配線用ユニットケーブル用の回路モジュールに関する。
【背景技術】
【０００２】
近年、住宅等の屋内配線工事を行うに当たり、分岐された配線を効果的にまとめ、使用する目的でユニットケーブルを用いた工法が普及し、幅広く利用されている。しかし、アパート等の集合住宅や、ビル、マンション等は部屋数も多く、それに伴い使用される配線の数が多くなる為、分岐された配線の結線作業が複雑化・煩雑化してしまっていた。そこで従前においても分岐された配線をまとめる際の安全性を確保し、且つ収納作業性が容易になるよう工夫したユニットケーブルについては種々の技術が提案されている。
【０００３】
例えば特許文献１（特開平９−２１３３８２号公報）では、差込形電線コネクタの接続機能を低下させること無く電気的安全性を高め、結線束の収納作業性を容易にしたボックス（以下、『ボックス』と『ケース』は同義）を提供するべく、電気工事における分岐結線束を絶縁カバーするジョイントボックスにおいて、その外周の任意の位置に、吊り部又は吊り手を設けて安置するようにし、口開部の少し奥部には複数の結束孔を前後または左右何れか対称的に設け、口開部から結線束を入れ、結束束に結束バンド等を通し電線ケーブルを結束して抜け止めるようにしたことを特徴とするジョイントボックスを提案している。
【０００４】
また、特許文献２（特開２００５−２８７０９６号公報）では、力を要する結線束の丸め作業を不要にし、極めて簡単に結線束の収容作業ができるようにした配線用ジョイントボックスを提案している。即ち、一端面に細長状の開口部を有する、弾性を備えた絶縁体から成る薄形袋状体であって、長手方向両側壁を接近する方向に力を加えることによって前記開口部の幅方向両側壁間を広げてジョイント部の結線束を前記開口部から内側へ挿入し、前記長手方向両側壁への力の解除による弾性復帰力によって前記幅方向の両側壁を接近させて結線束を離脱不能に収容するようにしたことを特徴とした配線用ジョイントボックスを提案している。
【先行技術文献】
【特許文献】
【０００５】
【特許文献１】特開平９−２１３３８２号公報
【特許文献２】特開２００５−２８７０９６号公報
【発明の概要】
【発明が解決しようとする課題】
【０００６】
上記のように従前においても、配線の分岐結束束の安全性を確保して収納作業性が容易になるよう工夫した屋内配線用ユニットケーブルについては種々提案されている。しかし、従前のユニットケーブルにおいては結線部分を工場等でモールド加工を行うため、施行現場でユニットケーブルを設置した後にブレーカの遮断や照明がつかないといった不具合が発生した場合には、結線部及び／又は接続部の確認が容易に出来ず、その原因確認及び対処が遅れてしまうことがあった。また、その原因確認のために当該ユニットケーブルのケース本体を取り外し又は交換が必要な場合もあり、コスト及び工期面においてもデメリットが生じていた。
【０００７】
そこで、本発明では配線の誤接続等が発生した際にも容易に接続・導通状態の確認及び対処ができるよう工夫した屋内配線用ユニットケーブル用の回路モジュールを提供することを第１の課題とする。
【０００８】
また、従前のユニットケーブルに使用されているケースは、より多くの結線束を挿通させる為に大きく開口するように形成されている場合が多かった。その為、ケースに挿通させる電線の数が少なく、結線束が細く形成された場合には、当該開口部に隙間が生じてしまい、この隙間より「ねずみ」や「蜘蛛」、その他の虫等が浸入し、電線相互の結束部をかじったり、糞尿をかける等して、電線相互の短絡事故、或いは腐食を促進させて断線事故等を誘起する危険があった。
【０００９】
そこで、本発明ではケース内部に動物等が浸入し難く、電線相互の短絡事故或いは断線事故等を誘起する可能性を極力減ずることができるよう工夫した屋内配線用ユニットケーブル用の回路モジュールを提供することを第２の課題とする。
【００１０】
さらに使用されるケーブルは多くの場合、導体が絶縁材により被覆され、さらに前記絶縁材をシースと呼ばれる保護外被覆材によって被覆して形成されている。その為、当該導体を目的部位に接続する為には前記シース及び絶縁材を刃物等で剥がして接続させなければならない。しかし、その際当該導体及び絶縁材が剥き出しの状態になるため、水などがかかったり、動物が浸入してかじったりした場合には、電線相互の短絡事故或いは断線事故等が発生する危険があった。
【００１１】
そこで、本発明ではケーブルの導体を目的部位に接続した際にも、水がかかったり動物が浸入してかじったりする危険を極力防ぐことができ、電線相互の短絡事故や断線事故等を誘起する可能性を極力減ずることができるよう工夫した屋内配線用ユニットケーブル用の回路モジュールを提供することを第３の課題とする。
【００１２】
更に従来提供されているユニットケーブルが、各配線が所定の長さに設定されていた事から、特定の場所まで配線を取回していく際、その経路を誤ってしまうと配線の長さが足りなくなってしまい、所定の場所まで到達できない事も考えられた。その結果、配線の作業に際して、改めて配線の延長作業なども必要になってしまい、決して効率的とは言えないものとなっていた。
【００１３】
そこで本発明は、従来提供されているユニットケーブルの課題を解決し、配線の長さを自由に設定することができながらも、電気回路を簡易に組み込むことができるようにした屋内配線用ユニットケーブル用の回路モジュールを提供することを第４の課題とする。
【課題を解決するための手段】
【００１４】
上記課題の少なくとも何れかを解決するべく、従前における屋内配線用ユニットケーブルにおける回路部分を別にすると共に、回路部分だけを別にすることによって生じる新たな課題をも解決する屋内配線用ユニットケーブル用の回路モジュールを提供する。
【００１５】
即ち、本発明は複数のケーブルの導体を接続して回路を構成した結線部と、前記結線部を収納し、取り付け固定を行う為のケースとから成る屋内配線用ユニットケーブル用の回路モジュールであって、前記ケースには配線器具に至る電気配線を接続する為の接続部が設けられている屋内配線用ユニットケーブル用の回路モジュールを提供するものである。
【００１６】
上記ケーブルはＪＩＳ規格（日本工業規格）又は／及びＪＣＳ規格（日本電線工業会規格）に準じたケーブルを使用するのが望ましい。使用できるケーブルの種類に限りは無いが、住宅等で使用する場合には安全性を鑑みて絶縁材により被覆したケーブルを使用するのが望ましい。例えば、電源系ケーブルであればＶＶＦケーブルやＩＶ電線等、信号系ケーブルであればテレビアンテナから信号を通す同軸ケーブルや電話・インターホンケーブル、或いはＬＡＮケーブル等、使用目的に応じて適宜ケーブルの種類を決定できる。
【００１７】
前記ケースは、回路を構成する結線部を収納し、且つ取り付け固定可能な容器として形成できる。即ち、ケース内には結線部を収納するための空間を設けた中空状に形成することができ、外枠の形状は角筒状や円筒状等、使用目的に合わせて任意の形状に形成することができる。また、ケースの素材はプラスチックや金属、或いは木材等各種材料で形成することができるが、取付作業の簡略化及び安全性を鑑みればプラスチック製のケースを用いるのが望ましい。さらに、ケースの端部には取り付け固定を行うための取付穴を設けるのが望ましい。取付穴を設けることで、コンクリートや木板、或いは鉄骨等にもボルトやビス等を利用して取り付け可能になるため、設置可能箇所の制限が極力少なくなる。
【００１８】
前記ケースには、配線器具に至る電気配線を接続する為の接続部が設けられている。前記接続部は電気配線（ケーブル等）、より具体的には当該電気配線の導電線を接続するための構成であり、当該機能を担保し得る限りにおいて、接続する為の形状・構造・方法は問わない。但し、差込形のコネクタを並列に複数個並べて使用するのが望ましい。これは、差込形のコネクタを使用することで、ワンタッチで配線の導体を挿入することができ、さらに透明な素材を用いれば目視で導体の挿入状態を確認することもできる為、結線作業の簡略化及び作業時間の節約が可能になる為である。
【００１９】
また前記接続部には、ケーブルの導線を挿入する側とは反対側に絶縁部を設けるのも望ましい。即ち、当該絶縁部を、絶縁コネクタや絶縁チューブで被覆したスリーブ等で形成して電気的な絶縁を図り、結線部内の回路を形成することも可能である。
【００２０】
また前記接続部の配線を接続する部分は露出させていることから、配線作業の簡略化を図っている。つまり、配線を接続する部分を露出させることにより、配線の誤接続等が発生し、接続・導通状態に不具合が生じた場合にも、どの配線が問題か目視で確認でき、問題となっている配線の取り外し、及び再配線作業も容易なものとなる。この点、従来の様に、モールド成形したケースから直接ケーブルが伸びており、結線部を有しないユニットケーブルでは配線不具合等が生じた際は、ユニットケーブル全体（ケース及びケーブル）を交換せざるを得ない状態であったのに対して、本発明では接続部の確認及び対処が容易にでき、配線を含めたユニットケーブル全体の交換の必要性を無くすことができる為、不具合発生時にかかるコスト及び工期面において大きなメリットが見出せる。
【００２１】
また、本発明にかかる屋内配線用ユニットケーブル用の回路モジュールを使用すれば、屋内配線を行った後に、当該モジュールに結線することができる。したがって従前の様に、屋内配線を行った後でケーブルが短いことが分かり、延長のためのケーブルを接続しなければならない等の不都合を無くすことができ、効率的に配線作業を実施することができる。
【００２２】
さらに、前記接続部の周りには当該接続部を被覆する為のカバーを設けるのが望ましい。当該カバーの素材・形状は使用するケーブルの形状・本数等に応じて適宜設定できる。当該カバーを設ける目的は電線相互の短絡事故や断線事故等を防ぐ為である。具体的にいえば、使用されるケーブルは多くの場合、導体が絶縁材により被覆され、さらに前記絶縁材をシースと呼ばれる保護外被覆材によって被覆して形成されている。その為、当該導体を接続部に接続する為には前記シース及び絶縁材を刃物等で剥がして接続させなければならない。しかし、その際当該導体及び絶縁材が剥き出しの状態になるため、結露等により水がかかったり、動物が浸入してかじったりした場合には短絡事故や断線事故が発生する危険性が非常に高く、当該導体及び絶縁材を防護する必要があった。そこで、前記カバーを設けることで、当該導体及び絶縁体が防護され、設置作業時の安全性が確保されるだけでなく、設置後の定期点検や不具合発生時の交換作業等が必要な場合にも、本体及び作業員に危険が及ぶ可能性を大幅に減ずることができる。
【００２３】
特に望ましくは、前記カバーを透明な素材で形成したり、或いはカバーに分岐先（接続先）を示す表示部分を設けるなどするのが望ましい。これは、ケーブルを接続部に接続する際、目視で分岐先（接続先）を確認できるようにする為である。具体的には、住宅等の屋内配線においてはケーブルの導体が複数設けられた多芯ケーブルが使用されることが多く、赤色、白色、黒色、或いは緑色など多色で形成されている為、当該ケーブルを正確に接続及び確認する作業は困難を要し、簡略化する必要があった為である。
【００２４】
ここで、前記カバーに分岐先を示す表示部分を設ける場合は、その表示方法に制限は無く、インクによる印刷、又は刻印、その他シール等を貼ってその上にペン等で自筆で記入、など様々な表示方法を適用できる。こうすることで、目視での配線確認が容易となり、結線作業における配線不良（誤接続など）の可能性を大幅に減ずることができる他、定期点検等においても安全且つ安心して配線確認作業を行うことが可能になる。
【００２５】
さらに、前記カバーのケーブル挿通口には多数の弁体を備える等しても良い。即ち、折り曲げ自在の弾力性を備える多数の弁体をカバーのケーブル挿通口に延出させるように設けることで、ケーブルを挿入した際、弁体の先部が折れ曲がって押し広げられ、複数のケーブルを束ねて成る結線束の太さに対応した大きさの挿通空間を形成することも可能になる。こうすることで、使用するケーブルが少なく構成された場合にもカバーの挿通口が開け放しにはならなくなる。
【００２６】
従来のケースのケーブル挿通口は、より多くの結線束を挿通させるために大きな内径で開口している場合が多かった。その為、当該挿通口から「ねずみ」や「蜘蛛」、その他の虫等が浸入し、電線相互を接続している回路部分（結線部分）の回路や配線をかじったり、糞尿をかける等して、電線相互の短絡事故、或いは腐食を促進させて断線事故等を誘起する危険があった。しかし、本発明では結線部をケース内に閉じ込めて、接続部を露出させた構成としていることから、ケーブル挿通口は存在せず、よって「ねずみ」や「蜘蛛」、その他の虫等が浸入する可能性を極力少なくでき、電線相互の短絡事故或いはそれに伴う断線事故等が発生する危険性を大幅に減ずることができる。
【００２７】
上記本発明にかかる屋内配線用ユニットケーブル用の回路モジュールは、一般戸建住宅のみならず、配線作業が複雑化・煩雑化し易いアパート等の集合住宅やビル、マンション等の大型施設にかかる屋内配線においても有効に実施することができる。
【発明の効果】
【００２８】
上記本発明にかかる屋内配線用ユニットケーブル用の回路モジュールでは、ケースに配線器具等に至る電気配線を接続する為の接続部を設けている為、配線作業が容易となり、配線の誤接続等が発生した際にも容易に接続・導通状態の確認及び対処が可能となる。特に、各電気器具に配線を行った後に当該モジュールに接続することができるので、配線時にケーブル長が足りない等の不都合を無くして、スムーズに配線作業を実施することができる。
【００２９】
また、回路が収容されているケース内部は閉じられた構成となっており、故に動物等が浸入し難く構成している為、電線相互の短絡事故或いは断線事故等を誘起する可能性を極力減ずることができる。
【００３０】
さらに、ケーブルの導体及び絶縁材が剥き出しの状態にならず、ケーブルの胴体との接続部は更にカバーされている事から、結露等により水がかかったり、動物が浸入したりする可能性が少なく、短絡事故や断線事故が発生する危険性を大幅に減ずることができる。その為、設置作業時の安全性が確保されるだけでなく、設置後の定期点検や不具合発生時の交換作業等が必要な場合にも、本体及び作業員に危険が及ぶ可能性を大幅に減ずることができる。
【図面の簡単な説明】
【００３１】
【図１】本実施の形態にかかる屋内配線用ユニットケーブル用の回路モジュールの斜視図であり、（Ａ）分解斜視図、（Ｂ）完成した斜視図である。
【図２】本実施の形態にかかるケース及びカバー内の構成を示す一部破断平面図である。
【図３】本実施の形態にかかるケースに対する接続部の設置例を示す斜視図であり、（Ａ）第１の設置例、（Ｂ）第２の設置例である。
【図４】他の実施の形態にかかるケースに対するカバーの設置例を示す斜視図である。
【図５】本実施の形態にかかるカバーに分岐先（接続先）を示す表示部分を設けた実施例の斜視図であり、（Ａ）カバーの表側、（Ｂ）カバーの裏側である。
【図６】従来の屋内配線用ユニットケーブルの断面平面図である。
【発明を実施するための形態】
【００３２】
以下、図面を参照しながら本実施の形態にかかる屋内配線用ユニットケーブル用の回路モジュールを具体的に説明する。但し、本発明にかかる屋内配線用ユニットケーブル用の回路モジュールは本実施の形態に限定されるものではなく、発明の趣旨を逸脱しない範囲内において適宜変更することが可能である。
【００３３】
図１は本実施の形態にかかる屋内配線用ユニットケーブル用の回路モジュールの斜視図であり、（Ａ）分解斜視図、（Ｂ）完成した斜視図であり、図２は本実施の形態にかかるケース及びカバー内の構成を示す一部破断平面図であり、図３は本実施の形態にかかるケースに対する接続部の設置例を示す斜視図であり、（Ａ）第１の設置例、（Ｂ）第２の設置例であり、図４は他の実施の形態にかかるケースに対するカバーの設置例を示す斜視図であり、図５は本実施の形態にかかるカバーに分岐先（接続先）を示す表示部分を設けた実施例の斜視図であり、（Ａ）カバーの表側、（Ｂ）カバーの裏側であり、図６は従来の屋内配線用ユニットケーブルの断面平面図である。
【００３４】
図１及び図２は本実施の形態にかかる屋内配線用ユニットケーブル用の回路モジュールＭを示している。ケース１０は一端側に矩形状の挿通口を設けた中空角筒形に形成し、軽量プラスチック製の素材で形成している。当該ケース１０は透明又は半透明の素材を用いて形成すれば、中の回路状態を目視確認することも容易となる。また、当該ケース１０の上端には取付固定を行う為の取付穴２０を設けている。これは、使用目的に応じて取付穴２０を適宜設けることでボルトやビス等を用いて柱などに設置可能になり、設置可能箇所の制限が極力少なくなる他、ケース１０本体をより強固に固定できるようになる為である。
【００３５】
また、当該ケース１０の挿通口には配線器具に至る電気配線を接続する為の接続部１７を設けている。当該接続部１７は差込穴１８を有する差込形コネクタを並列に複数個並べて形成し、前記ケース１０に対して固定している。その結果、当該ケース１０の開口はこの接続部１７によって閉じられている。そして、前記接続部１７の差込穴１８にケーブル１２の導体１５を差し込むことで回路との電気的な接続を実現している。なお、差込穴１８を有する差込形コネクタを並列に複数個並べて接続部１７を構成する場合、差込コネクタに接続される回路ごとに別体で形成する事もでき、所要の回路が接続された差込コネクタ同士を組み合わせて、これをケースに接続すれば、様々な回路を具備する回路モジュールを自在に形成する事もできる。
【００３６】
接続部１７において、差込穴１８を設置している側とは反対側には、絶縁コネクタによる絶縁部１９を設けている。即ち、ケーブル１２の導体１５を接続部１７に接続し、当該接続部１７を介して絶縁部１９に至るまでの経路を結線部１１として構成し、回路を形成している。
【００３７】
さらに、当該接続部１７の配線を接続する部分（本実施の形態によれば差込穴１８）は露出させている。これは、露出させることで配線作業の簡略化を図る為である。具体的には、配線を接続する部分を露出させることで、配線の誤接続等が発生し、接続・導通状態に不具合が生じた際にも、どの配線が問題か目視確認が容易になり、問題となっている配線の取り外し、及び再配線作業も容易なものとする為である。
【００３８】
また、接続部１７は電気配線（ケーブル等）を接続できればよいため、図３（Ａ）のように差込コネクタの全部を露出させるよう設けても良く、或いは図３（Ｂ）のように差込コネクタをケース１０内に収納し、差込穴１８のみ露出するよう設けても構わない。その他、ケーブル１２の導体１５を挟み込む形状のものを用いても良く、接続部１７を構成する形状・方法に制限は無い。
【００３９】
ここで、従来においては図６に示す屋内配線用ユニットケーブル用の回路モジュールＮのように構成したものが用いられてきた。即ち、ケーブル１２を並列に並べ、各々の導体１５の端部に圧着スリーブ６３を接続して回路結線を形成し、当該導体１５の端部及び圧着スリーブ６３に絶縁チューブ６２を被せて絶縁を図っている。このように構成した回路結線部は、中空角筒形に形成したケース６０内に収納され、熱硬化性樹脂６１をケース６０内に注入して封止している。このケース６０内に注入された熱硬化性樹脂６１によってケーブル１２は結線部の保護とケース６０に対しての固定が行われていた。
【００４０】
上記のような従来の構成では熱硬化性樹脂５１等を用いて結線部をケース６０と一体化して形成していた為、配線不具合等が生じた際はモールド化した本体を交換せざるを得なかった。しかし、本実施の形態によれば、接続部１７における配線状態の確認及び対処が容易にでき、本体交換の必要性が大幅に減ぜられる為、不具合発生時にかかるコスト及び工期面において大きなメリットが見出せる。
【００４１】
その他、従来ではケース６０のケーブル挿通口（開口部５４）は結線束を挿通させるために大きく開口した内径で形成されている場合が多かった。その為、当該開口部６４より「ねずみ」や「蜘蛛」、その他の虫等が浸入し、電線相互の結束部をかじったり、糞尿をかける等して、電線相互の短絡事故、或いは腐食を促進させて断線事故等を誘起する危険があった。しかし、本実施の形態によれば接続部１７を設けることでケース１０の挿通口に栓をする形になり、動物等の侵入を防ぐことが可能となる。
【００４２】
さらに本実施の形態では、前記接続部１７の周りには接続部１７を被覆する為のカバー１６を設けている。当該カバー１６はプラスチック製の透明な素材で矩形状に形成しており、電線相互の短絡事故や断線事故等を防ぐ目的で設けている。具体的にいえば、使用されるケーブル１２は多くの場合、導体１５が絶縁材１４により被覆され、さらに前記絶縁材１４をシース１３と呼ばれる保護外被覆材によって被覆して形成されている。その為、当該導体１５を接続部１７に接続する為には前記シース１３及び絶縁材１４を刃物等で剥がして接続させなければならない。しかし、その際当該導体１５及び絶縁材１４が剥き出しの状態になるため、結露等により水がかかったり、動物が浸入してかじったりした場合には短絡事故や断線事故が発生する危険性が非常に高く、当該導体１５及び絶縁材１４を防護する必要があった。そこで、前記カバー１６を設けることで、当該導体１５及び絶縁体１４が防護され、設置作業時の安全性が確保されるだけでなく、設置後の定期点検や不具合発生時の交換作業等が必要な場合にも、本体及び作業員に危険が及ぶ可能性を大幅に減ずることができる。
【００４３】
また、図４に示す様に、上記カバー１６はケース４０に対してスライド自在に設ける事もできる。即ち、当該カバー１６をケース４０の接続部側に外装すると共に、ケース４０の両端に摺動部４１を設け、当該摺動部４１によってカバー１６が接続方向に対して摺動自在になるよう構成しても良い。これによって逐一カバー１６を取り外さなくとも、スライドさせるだけで接続部１８との結線状態を確認することも可能になる。
【００４４】
特に上記のカバー１６は、図１、図２、及び図４に示す実施の形態ではケースとは別体で形成しているが、前記カバー１６の裾部（接続部が設けられる側）を延長させ、この延長部分をカバーとする事もできる。かかるカバー１６はケースと一体であれ別体であれ、少なくともシース１３を剥がして露出している絶縁材１４を囲むことができる長さである事が望ましく、一方で余りにも長いと、今度は接続部１７に対するケーブル１２の接続が困難になるという問題が生じる。そこで、本実施の形態では、当該カバー１６は、接続部の表側面よりも５ｍｍ以上、特に１０ｍｍ以上であって、５０ｍｍ以下、特に３０ｍｍ以下で伸長するように形成されるのが望ましい。安全性と作業容易性の両者を高める為である。
【００４５】
また、図５（Ａ）及び図５（Ｂ）に示すように、当該カバー１６の表面及び裏面には分岐先（接続先）を示す表示部分５１を印字するのが望ましい。これは、カバー１６に分岐先（接続先）を表示することで、目視での配線確認が容易となり、設置作業における配線不良（誤接続など）の可能性を大幅に減ずることができる他、定期点検等においても安全且つ安心して配線確認作業を行うことができる為である。本実施の形態においてはインクによる印刷によって表示部分５１を印字している。
【００４６】
上記構成による本実施の形態によれば、配線の誤接続等が発生した際にも容易に接続及び導通状態が確認でき、電線相互の短絡事故或いは断線事故等を誘起する可能性を極力減ずることができるよう工夫した屋内配線用ユニットケーブル用の回路モジュールを提供することが可能となる。
【符号の説明】
【００４７】
Ｍ、Ｎ    屋内配線用ユニットケーブル用の回路モジュール
１０、４０、６０    ケース
１１    結線部
１２    ケーブル
１３    シース
１４    絶縁材
１５    導体
１６    カバー
１７    接続部
１８    差込穴
１９    絶縁部
２０    取付穴
４１    摺動部
５１    表示部分
６１    熱硬化性樹脂
６２    絶縁チューブ
６３    圧着スリーブ
６４    開口部
【図１】
2016073167.tif 000003
【図２】
2016073167.tif 000004
【図３】
2016073167.tif 000005
【図４】
2016073167.tif 000006
【図５】
2016073167.tif 000007
【図６】
2016073167.tif 000008